(57)【要約】【課題】部材の分量および部材数の低減を図ると共に、組み立て負担の低減を実現することが可能な収納部材を提供すること。【解決手段】収納部材１は、本体部５に対して側方へ延設された延設部７が紙材料により一体に形成されている。延設部７は、起立片部８、傾斜片部９および底面部１０が連続して形成され、本体部５と起立片部８との境界である第一境界部は、谷折りに折り曲げ可能に加工され、起立片部８と傾斜片部９との境界をなす第二境界部は、山折りに折り曲げ可能に加工され、傾斜片部９と底面部１０との境界をなす第三境界部は、山折りに折り曲げ可能に加工されている。底面部１０の端部には差込部１９が形成されており、起立片部８には、第一境界部、第二境界部および第三境界部が折り曲げられた状態において差込部１９に係合する差込受部１１が形成されている。【選択図】  図１
2011098760.tif 000002
【特許請求の範囲】
【請求項１】
本体部に対して側方へ延設された延設部が紙材料により一体に形成され、
該延設部には、前記本体部と前記延設部との境界部分から前記延設部の延伸方向に向けて起立片部、傾斜片部および底面部が連続して形成され、
前記本体部と前記起立片部との境界である第一境界部は、谷折りに折り曲げ可能に加工され、
前記起立片部と前記傾斜片部との境界をなす第二境界部は、山折りに折り曲げ可能に加工され、
前記傾斜片部と前記底面部との境界をなす第三境界部は、山折りに折り曲げ可能に加工されるとともに、
前記底面部の端部には突起形状をなす差込部が形成され、
前記起立片部の前記本体部との境界部近傍であって、前記第一境界部が谷折りに折り曲げられ、前記第二境界部および前記第三境界部が山折りに折り曲げられた状態において前記突起部が案内され得る位置に、前記差込部に係合する差込受部が形成されること
を特徴とする収納部材。
【請求項２】
前記延設部材は、前記本体部に対して互いに相反する方向へと延設されて一対に設けられることを特徴とする請求項１に記載の収納部材。
【発明の詳細な説明】
【技術分野】
【０００１】
収納部材に関し、より詳細には、収納箱内に収納される製品を効率よく収納して製品間の干渉を防止するための収納部材に関する。
【背景技術】
【０００２】
一般に、製品を工場から販売店などに搬送（出荷）する場合には、ダンボールなどの収納箱等に製品を梱包することが多い。ダンボールなどで収納箱を形成することにより、収納箱の折りたたみ・組み立てが容易となり、組み立て前のシート状態で保管することにより収納スペースの低減を図ることが可能となる。また、収納箱等にダンボールなどの可燃性材料を利用することにより、焼却による処分を行うことができるという利点がある。
【０００３】
ダンボールなどにより収納箱を形成する場合、収納箱の形状は、一般的に立方体形状となるように組み立てられる。一方で、収納箱に収納される製品の形状はさまざまであるため、必ずしも立方体形状の収納箱内に、そのまま好適に収納することができるものではない。従って、製品を収納する場合には、収納箱内での製品の移動や製品同士の干渉を防止するために、収納部材が用いられている（例えば、特許文献１および特許文献２参照）。
【０００４】
このような収納部材を用いることにより、収納箱内に効率良く製品を収納することが可能になると共に、製品間の隙間により製品が移動して製品同士が干渉してしまうことを防止することが可能となる。
【先行技術文献】
【特許文献】
【０００５】
【特許文献１】特開２００４−４３００２号公報
【特許文献２】特開２００５−３４３５１９号公報
【発明の概要】
【発明が解決しようとする課題】
【０００６】
ところで、収納部材も、上述したダンボール製の収納箱と同様の理由により、可燃性を備え、組み立て等が容易なダンボールなどにより構成されることが多い。ダンボールを材料として使用することにより、製品梱包前には、プレート状にして収納部材を保管することができ、製品梱包時には、ダンボールの組み立てにより製品の収納状態に適した立体的形状を構成でき、さらに、製品搬送後は、焼却により収納部材を容易に処分することが可能となる。
【０００７】
しかしながら、ダンボールなどの組み立てによって収納部材を立体的形状に組み立てる場合には、機械などで自動的に組み立て処理を行うことが容易でないため、今日でも手作業によって組み立てを行うことが多い。このように手作業で組み立てを行う場合には、収納部材の立体的形状が複雑であればあるほど組み立て負担が増大してしまうと言う問題があった。
【０００８】
例えば、収納部材を立体的形状に組み立てる場合、一般的には、図９（ｂ）に示すように、左右の端部から順番に境界部３０、３１、３２を谷折りに折り曲げて断面視で矩形状となるようにダンボールを組み立てて、先端部に形成される差込部（突起部）３４を底面部３５に形成される差込受部（突起受入孔）３６に嵌め込むことにより、立体的形状を維持する構成となっている。しかしながら、このような立体的形状を組み立てる場合には、作業者が谷折り部分３０〜３２の前後を両手で把持して順番に折り曲げ作業を行った後に、差込部３４が形成された先端部を一方の手で掴んだ状態で、他方の手で底面部３５を掴んで差込部３４を差込受部３６へと案内する必要があるため、組み立て作業時にダンボールの持ち替え作業が必要となり、組み立て負担が大きいという問題があった。
【０００９】
一方で、組み立て構造を簡易にした場合には、一般的に１つの組立部分で製品間の隙間を効果的に塞ぐことが困難となるため、複数の収納部材を組み合わせて使用する必要が生じ、部材数の増加や収納部材の組合せによる作業負担の増大などを招くという問題があった。
【００１０】
本発明は上記問題に鑑みて成されたものであり、部材の分量および部材数の低減を図ると共に、組み立て負担の低減を実現することが可能な収納部材を提供することを課題とする。
【課題を解決するための手段】
【００１１】
上記課題を解決するために、本発明に係る収納部材は、本体部に対して側方へ延設された延設部が紙材料により一体に形成され、該延設部には、前記本体部と前記延設部との境界部分から前記延設部の延伸方向に向けて起立片部、傾斜片部および底面部が連続して形成され、前記本体部と前記起立片部との境界である第一境界部は、谷折りに折り曲げ可能に加工され、前記起立片部と前記傾斜片部との境界をなす第二境界部は、山折りに折り曲げ可能に加工され、前記傾斜片部と前記底面部との境界をなす第三境界部は、山折りに折り曲げ可能に加工されるとともに、前記底面部の端部には突起形状をなす差込部が形成され、前記起立片部の前記本体部との境界部近傍であって、前記第一境界部が谷折りに折り曲げられ、前記第二境界部および前記第三境界部が山折りに折り曲げられた状態において前記突起部が案内され得る位置に、前記差込部に係合する差込受部が形成されることを特徴とする。
【００１２】
このように、本発明に係る収納部材は、延設部が、連続した起立片部、傾斜片部および底面部により形成されており、本体部と起立片部との境界である第一境界部と、起立片部と傾斜片部との境界をなす第二境界部と、傾斜片部と底面部との境界をなす第三境界部とを折り曲げることにより、延設部で三角立体形状を形成することが可能となる。このため、本発明に係る収納部材を用いて製品（物品）を収納する場合には、三角立体形状を用いて製品を支えることができるため、製品のぐらつきや製品間の干渉を防止することが可能となる。
【００１３】
さらに、製品を支える延設部の組み立て形状が三角立体形状となるため、従来の収納部材のように矩形形状で構成される場合に比べて、斜め方向および上下方向に対する強度を高めることが可能となる。
【００１４】
また、第二境界部および第三境界部は、山折りに折り曲げ可能に加工されているのに対して、第一境界部は、谷折りに折り曲げ可能に加工されている。このため、第一境界部が折り曲げられることにより、本体部に対してまず、起立片部が起立した状態となり、その後、第二境界部が折り曲げられることにより傾斜片部が傾斜部を形成し、最後に、第三境界部が折り曲げられることにより、底面部が本体部と平行な状態となって、底面部の先端が起立片部の基部近傍（第一境界部近傍）へと位置することになる。このように折り曲げられた状態において、本発明に係る収納部材には、底面部の端部に突起形状をなす差込部が形成され、起立片部の本体部との境界部近傍には差込部に係合する差込受部が形成されるため、底面部の先端を第一境界部近傍へと水平に移動させることにより、簡単に差込部を差込受部へ案内させて係合させることがでる。このため、起立片部、傾斜片部および底面部により形成された三角立体形状をより強固なものとすることができ、強度を高めることが可能となる。
【００１５】
さらに、収納部材の延設部を手作業で三角立体形状に組み立てる場合には、傾斜片部と底面部との境界をなす第三境界部を山折りに軽く折り曲げて手のひらで覆うようにして保持した後に、この手を本体部の表面側へ移動させることにより、本体部と起立片部との境界をなす第一境界部が谷折りに折り曲げられて、起立片部が本体部に対して起立された状態となる。この状態において、手首を返す（手首が開く方向へと移動させる）ことにより、起立片部と傾斜片部との境界を成す第二境界部が山折りに折り曲げられるため、片手で延設部を握った状態で簡単に延設部を三角立体形状に組み立てることが可能となる。
【００１６】
さらに、手のひらには、底面部が含まれており、自ずと、底面部の先端部分、つまり差込部位置に人差し指又は中指が位置することになる。このため、差込部を差込受部に係合させる場合にも、底面部を手のひらで覆うようにして保持状態のまま、指先で差込部の位置を確認して差込受部へと誘導することにより差込部を差込受部に係合させることができるので、収納部材を持ち替えることなく、延設部を三角立体形状に組み立てるための一連の作業を行うことが可能となる。
【００１７】
このように、本発明に係る収納部材では、手作業により三角立体形状を組み立てる場合においても、収納部材の組み立て処理を円滑かつ速やかに行うことができ、さらに、組み立てのミスを少なくすることができるため、組み立て負担の低減を図ることが可能となる。
【００１８】
さらに、本発明に係る収納部材は、本体部と延設部とが紙材料により一体に形成されたものであるため、部材の分量および部材数の低減を実現することが可能である。
【００１９】
また、上述した収納部材において、前記延設部材は、前記本体部に対して互いに相反する方向へと延設されて一対に設けられるものであってもよい。
【００２０】
このように、延設部材が、本体部に対して互いに相反する方向へと延設されて一対に設けられることにより、一方の延設部における第三境界部を山折りに軽く折り曲げて傾斜片部と底面部を右手の手のひらで覆うようにして保持し、他方の延設部における第三境界部を山折りに軽く折り曲げて傾斜片部と底面部を左手の手のひらで覆うようにして保持したのちに、左右の手の親指を近づけるようにして手首を動かすことにより、本体部と起立片部との境界をなす第一境界部が谷折りに折り曲げられて、一対の起立片部を同時に本体部に対して起立させることができる。
【００２１】
この状態において、左右の手首を返す（左右の手首が互いに開く方向へと移動させる）ことにより、起立片部と傾斜片部との境界を成す第二境界部が山折りに折り曲げられるため、左右の手で延設部を握った状態で簡単に延設部を三角立体形状に組み立てることが可能となる。このように、延設部が一対に設けられることにより、両方の延設部材に関する三角立体形状の組み立て作業を、一度に行うことが可能となる。
【００２２】
さらに、差込部を差込受部に係合させる場合には、左右の指先を互いに近ずけるようにして内側へと導くことにより自ずと差込部を差込受部に案内させて係合させることができる。
【００２３】
このように、本発明に係る収納部材では、本体部に対して延設部が一対に設けられることにより、収納部材の組み立て処理をさらに円滑かつ速やかに行うことができ、組み立て負担の低減をより一層図ることが可能となる。
【発明の効果】
【００２４】
本発明に係る収納部材を用いることにより、手作業により三角立体形状を組み立てる場合において、収納部材の組み立て処理を円滑かつ速やかに行うことができると共に、組み立てのミスを少なくすることができるため、組み立て負担の低減を図ることが可能となる。さらに、本発明に係る収納部材は、本体部と延設部とが紙材料により一体に形成されたものであるため、部材の分量および部材数の低減を実現することが可能となる。
【図面の簡単な説明】
【００２５】
【図１】本実施の形態に係る収納部材の組み立てを行う前の状態を示した平面部分断面図である。
【図２】本実施の形態に係る収納部材の組み立てを行う前の状態を示した斜視図である。
【図３】本実施の形態に係る収納部材の組み立てを行う過程を示した第一の図である。
【図４】本実施の形態に係る収納部材の組み立てを行う過程を示した第二の図である。
【図５】本実施の形態に係る収納部材の組み立てを行う過程を示した第三の図である。
【図６】本実施の形態に係る収納部材が組み立てられた状態を示した斜視図である。
【図７】本実施の形態に係る収納部材と収納箱と連結ファスナーとを示した展開斜視図である。
【図８】収納箱に、本実施の形態に係る収納部材を用いて連結ファスナーを収納した状態を示した平面図である。
【図９】（ａ）は、本実施の形態に係る収納部材が組み立てられた状態を示した側方断面図であり、（ｂ）は、従来の収納部材が組み立てられた状態を示した側方断面図である。
【発明を実施するための形態】
【００２６】
以下、本発明に係る収納部材を、図面を用いて詳細に説明する。
【００２７】
図１は、本実施の形態に係る収納部材の平面部分断面図を示し、図２は、斜視図を示している。
【００２８】
収納部材１は、図１に示すようにして型抜き成形された一枚のシート状のダンボール片により構成されている。このシート状のダンボール片は、図１に示すようにダンボールの矩形形状に対して斜め方向に沿ってダンボールの筋２が形成されるようにして型抜きが行われている。
【００２９】
収納部材１は、収納箱４（図７参照）の底面形状に対応する長方形状をなす本体部５と、この本体部５の長辺５ａ中央部に対して短辺５ｂの延伸方向へと平行に延設された一対の側方延設部７，７とを備えている。
【００３０】
側方延設部７は、起立片部８と、傾斜片部９と、底面部１０とが一体に形成されており、図１および図２に示すように、本体部５と起立片部８および傾斜片部９との境界１６には、切り込みが形成されている。起立片部８は、長辺部分の幅がＲ２となる長方形状を呈しており、本体部５と起立片部８との境界部１２（第一境界部）には、後述する底面部１０の差込部１９が差し込まれる差込受部１１の切込部分を除いて、容易に谷折りに折れ曲がるように加工されている。また、起立片部８と傾斜片部９との境界部１３（第二境界部）は、容易に山折りに折れ曲がるように加工されている。
【００３１】
なお、対向する起立片部８，８の間隔Ｒ１は、収納する製品の製品寸法に対応する寸法に規定されている。本実施の形態に用いられる収納部材１には、図７および図８に示すように、連結部材を介して多数の釘を等間隔に連結し、ロール状に巻いた連結ファスナー１５が収納される。従って、起立片部８の間隔Ｒ１は、連結ファスナー１５の直径寸法に対応する間隔に規定されることになる。
【００３２】
傾斜片部９は、起立片部８の横幅Ｒ２を維持したまま僅かに（Ｒ３寸法だけ）延設された後に、この横幅Ｒ２を維持した部分（Ｒ３寸法だけ延設された端部）より底面部１０方向へと延設されるに従って円弧形状の側辺１７を形成しつつ左右に拡幅されて、底面部１０との境界部において端部幅がＲ４まで拡幅される。なお。上述したように、傾斜片部９と本体部５との境界部（円弧形状の側辺１７を一部含む）１６には切り込みが形成されている。
【００３３】
底面部１０は、長辺部分の幅がＲ２となる長方形状を呈しており、その端部側の長辺１８には、前述した差込部１９が形成されている。また、底面部１０の短辺２０の長さＬ１は、本体部５の長辺５ａ部分から起立片部８と本体部５との境界部１２までの距離Ｌ２にほぼ対応する寸法に形成されている。また、傾斜片部９と底面部１０との境界部２１（第三境界部）は、容易に山折りに折れ曲がるように加工されている。
【００３４】
次に、このようにして型抜きされた収納部材１（一枚のシート状のダンボール片）の組み立て方法について説明を行う。
【００３５】
このダンボール片を立体的な形状に組み立てる作業は、作業員の手作業によって行われる。このため、作業員の組み立て手順を説明することによりダンボール片の具体的な組み立て方法を説明する。
【００３６】
作業員はまず、図３に示すように、一方の側方延設部７における傾斜片部９と底面部１０との境界部２１を山折りに折り曲げて、折り曲げられた底面部１０を右手の手のひらで覆うようにして一方の側方延設部７を掴み、他方の側方延設部７における傾斜片部９と底面部１０との境界部２１を山折りに折り曲げて、折り曲げられた底面部１０を左手の手のひらで覆うようにして他方の側方延設部７を掴むことにより、ダンボール片を保持する。
【００３７】
この状態において、左右の親指は、自ずと傾斜片部９の表面側に位置し、親指の先端部が、起立片部８と傾斜片部９との境界部１３近傍に位置することになる。また、手のひらに覆われる底面部１０の先端部は、境界部２１においてダンボールの厚さが作用するため、傾斜片部９に対して僅かに間隔が保たれた状態となる。さらに、この状態において、人差指又は中指は、自ずと底面部１０の差込部１９に位置することになる。
【００３８】
次に、左右の手の親指を近づけるようにして手首を動かすことにより、図４に示すように、本体部５と起立片部８との境界部１２が谷折りに折り曲げられて、左右の側方延設部７が境界部１２において本体部５から起立された状態となる。この状態で次に、互いの手首を返す（左右の手首が開く方向へと移動させる）ことにより、図５に示すように、起立片部８と傾斜片部９との境界部１３が山折りに折り曲げられる。
【００３９】
手首を返して境界部１３を山折りに折り曲げることにより、折り曲げに応じて人差指又は中指を起立片部８の裏側へと回り込むように移動させることができ、人差指又は中指により底面部１０の差込部１９を起立片部８の差込受部１１方向へと案内することができる。
【００４０】
そして、最後に、両手を互いに近づける方向へと移動させ、人差指又は中指で差込部１９を差込受部１１に案内して差込受部１１に差込部１９を嵌め込むことにより、差込部１９が差込受部１１に係合されて、図９（ａ）に示すように、起立片部８、傾斜片部９および底面部１０により断面視で三角立体形状を成す製品支持部が形成され、図６に示すように収納部材の組み立てが完了する。
【００４１】
このようにして組み立てられた収納部材１を、図７に示すように収納箱４へ収納し、その上から連結ファスナー１５を収納することにより、図８に示すように、５個の連結ファスナー１５を収納箱４の下半分に収納することが可能となる。連結ファスナー１５の収納時に収納部材１を利用することにより、起立片部８の対向する起立壁により中央部に収納される連結ファスナー１５のがたつきを抑えることが可能となる。さらに、収納部材１の傾斜片部９には、円弧形状の側辺１７が形成されているため、この円弧形状の側辺１７によって四隅に収納される連結ファスナー１５の側面を外縁に沿って支持することができるので、四隅の連結ファスナー１５のがたつきを抑えることが可能となる。
【００４２】
さらに、収納部材１が収納箱４に収納された状態において、傾斜片部９と底面部１０との境界部２１が収納箱４の内側壁面に当接し得るため、差込部１９が差込受部１１から外れてしまうことを防止することができるとともに、起立片部８、傾斜片部９および底面部１０により形成される三角立体形状を維持することが可能となる。従って、連結ファスナー１５が収納された収納箱４を搬送している間に、収納部材１の三角立体形状が崩れてしまうことを防止することができるので、連結ファスナー１５同士の干渉やがたつきを効果的に防止することが可能となる。
【００４３】
また、作業者が、境界部２１で山折りに折り曲げられた底面部１０を左右の手のひらで覆うようにして収納部材１を保持した後に、手首の返し作業などを行うだけで、収納部材１の組み立てができるので、ダンボール片を持ち替えたりする必要がなくなり、円滑に収納部材１の組み立てを行うことができる。このため、収納部材１の組み立て負担を低減させることができると共に、組み立て時間を短縮することができ、さらに組み立てミスを防ぐことが可能となる。
【００４４】
また、収納部材１では、組み立て形状が、起立片部８、傾斜片部９および底面部１０により形成される三角立体形状となるため、従来の収納部材のような矩形形状に比べて斜め方向および上下方向に対する強度を高めることが可能となる。
【００４５】
さらに、本実施の形態に係る収納部材１では、ダンボール片の矩形状に対して斜め方向に沿ってダンボールの筋２が形成されるようにして型抜きが行われているので、ダンボール片の矩形形状における縦横方向の強度を高めることができ、結果として、三角立体形状を構成する起立片部、傾斜片部および底面部の各面における縦横方向の強度を高めることが可能となる。
【００４６】
また、本実施の形態に係る収納部材１は、図１に示すようにして型抜き成形された一枚のシート状のダンボール片により構成されているため、部材数および材料の分量の低減を実現することが容易である。
【００４７】
以上、本発明に係る収納部材について図面を用いて詳細に説明を行ったが、本発明に係る収納部材は上述した実施の形態に限定されるものではない。当業者であれば、特許請求の範囲に記載された範疇内において、各種の変更例または修正例に想到しうることは明らかであり、それらについても当然に本発明の技術的範囲に属するものと了解される。
【００４８】
例えば、本実施の形態に係る収納部材１では、側方延設部７が左右に一対に設けられる場合について説明を行ったが、側方延設部７は必ずしも収納部材１に一対に設けられるものには限定されず、側方延設部７が本体部５に１箇所だけに設けられる構成であってもよく、また、３箇所以上設けられる構成であっても良い。
【符号の説明】
【００４９】
１     …収納部材
２     …筋
４     …収納箱
５     …（収納部材の）本体部
５ａ   …（本体部の）長辺
５ｂ   …（本体部の）短辺
７     …（収納部材の）側方延設部
８     …起立片部
９     …傾斜片部
１０   …底面部
１１   …（起立片部の）差込受部
１２   …境界部（第一境界部）
１３   …境界部（第二境界部）
１５   …連結ファスナー
１６   …境界部
１７   …（傾斜片部の）側辺
１８   …（底面部の）長辺
１９   …（底面部の）差込部
２０   …（底面部の）短辺
２１   …境界部（第三境界部）
３０、３１、３２   …（従来の収納部材における）境界部
３４   …（従来の収納部材における）差込部
３５   …（従来の収納部材における）底面部
３６   …（従来の収納部材における）差込受部
【図１】
2011098760.tif 000003
【図２】
2011098760.tif 000004
【図３】
2011098760.tif 000005
【図４】
2011098760.tif 000006
【図５】
2011098760.tif 000007
【図６】
2011098760.tif 000008
【図７】
2011098760.tif 000009
【図８】
2011098760.tif 000010
【図９】
2011098760.tif 000011